(57)【要約】【課題】ユーザ端末を利用することなく、購入商品に関連した料理のレシピの印刷物を容易に取得できるレシピ提供システムを提供する。【解決手段】購入商品のレシートを発行するレシート発行端末１１と、料理の食品材料と料理のレシピを関連付けて記録したレシピデータベース１７を有し、レシート発行端末から購入商品の情報を受け取り、レシピデータベースを参照して購入商品に含まれる食品材料に関連した料理のレシピが存在した場合、料理のレシピの管理情報を設定して管理情報をレシート発行端末へ通知する管理装置１４と、レシート内容を読み取り可能な読取部２８を有する画像形成装置２０とを備え、レシート発行端末は、管理装置から受け取ったレシピの管理情報をレシートに印刷し、画像形成装置は、レシートに印刷されたレシピの管理情報を読取部で読み取った際に、管理装置に問い合わせ、管理装置から管理情報に対応したレシピを受け取って印刷する。【選択図】図１
2013214194.tif 000002
【特許請求の範囲】
【請求項１】
購入商品に関連した料理のレシピを提供するレシピ提供システムであって、
前記購入商品の内容が印刷されたレシートを発行するレシート発行端末と、
料理の食品材料と該料理のレシピを関連付けて記録したレシピデータベースを有し、前記レシート発行端末から前記購入商品の情報を受け取り、前記レシピデータベースを参照して前記購入商品に含まれる食品材料に関連した料理のレシピが存在した場合、該料理のレシピの管理情報を設定するとともに、該管理情報を前記レシート発行端末へ通知する管理装置と、
前記レシートの印刷内容を読み取り可能な読取部を有し、所定の画像データを印刷する画像形成装置とを備え、
前記レシート発行端末は、前記管理装置から受け取った前記料理のレシピの管理情報を前記レシートに印刷し、前記画像形成装置は、前記レシートに印刷された前記料理のレシピの管理情報を前記読取部で読み取った際に、前記管理装置に問い合わせ、該管理装置から前記管理情報に対応した料理のレシピを受け取って印刷することを特徴とするレシピ提供システム。
【請求項２】
請求項１に記載のレシピ提供システムであって、
前記管理装置あるいは前記レシート発行端末は、特別に安い値段で売られる特売商品の情報を有し、
前記管理装置は、該管理装置に有るあるいは前記レシート発行端末から受け取った前記特売商品の情報に基づいて、前記特売商品と前記購入商品とに含まれる食品材料に関連した料理のレシピを、前記購入商品に含まれる食品材料に関連した料理のレシピとして選択することを特徴とするレシピ提供システム。
【請求項３】
請求項２に記載のレシピ提供システムであって、
前記管理装置あるいは前記レシート発行端末は、前記特売商品の割引情報を有し、前記画像形成装置は、前記特売商品と前記購入商品とに含まれる食品材料に関連した料理のレシピが存在する場合、前記管理装置から受け取ったあるいは前記レシート発行端末から前記管理装置を経て受け取った前記特売商品の割引情報を、前記特売商品と前記購入商品とに含まれる食品材料に関連した料理のレシピに印刷することを特徴とするレシピ提供システム。
【請求項４】
請求項１から３のいずれか１項に記載のレシピ提供システムであって、
前記料理のレシピの管理情報は、バーコードによる読取コードとして前記レシートに印刷されることを特徴とするレシピ提供システム。
【請求項５】
請求項１から３のいずれか１項に記載のレシピ提供システムであって、
前記料理のレシピの管理情報は、ＱＲコードによる読取コードとして前記レシートに印刷されることを特徴とするレシピ提供システム。
【請求項６】
請求項１から５のいずれか１項に記載のレシピ提供システムであって、
前記画像形成装置は、食品材料を売却する店舗に設置されていることを特徴とするレシピ提供システム。
【発明の詳細な説明】
【技術分野】
【０００１】
本発明は、レシピ提供システムに関し、詳細には、購入商品に関連した料理のレシピを提供するレシピ提供システムに関する。
【背景技術】
【０００２】
スーパーやデパート等の店舗には、レシート発行端末が設置され、このレシート発行端末を用いて種々のサービスが商品購入者に提供されている。
例えば、特許文献１には、購入商品の情報を用いて料理のレシピ等を提供する技術が提案されており、店舗での商品購入者は、その商品から個別に応用された料理のレシピや、専門的な知識に基づく料理のレシピ等を得ることができる。
【先行技術文献】
【特許文献】
【０００３】
【特許文献１】特開２００９−２１１２５８号公報
【発明の概要】
【発明が解決しようとする課題】
【０００４】
しかしながら、特許文献１に開示されたものでは、上述の商品購入者は、ユーザ端末を操作し、受け取ったレシートに記載のＷｅｂサイトアドレスにアクセスする必要がある。このため、例えば、携帯電話機やパーソナルコンピュータのようなユーザ端末を有しなければ、料理のレシピを得ることができない。また、この料理のレシピを印刷したい場合、ユーザ端末から画像形成装置へのアクセスが別途必要になり、不便であるという問題がある。
【０００５】
本発明は、上述の如き実情に鑑みてなされたもので、ユーザ端末を利用することなく、購入商品に関連した料理のレシピの印刷物を容易に取得できるレシピ提供システムを提供することを目的とする。
【課題を解決するための手段】
【０００６】
上記課題を解決するために、本発明の第１の技術手段は、購入商品に関連した料理のレシピを提供するレシピ提供システムであって、前記購入商品の内容が印刷されたレシートを発行するレシート発行端末と、料理の食品材料と該料理のレシピを関連付けて記録したレシピデータベースを有し、前記レシート発行端末から前記購入商品の情報を受け取り、前記レシピデータベースを参照して前記購入商品に含まれる食品材料に関連した料理のレシピが存在した場合、該料理のレシピの管理情報を設定するとともに、該管理情報を前記レシート発行端末へ通知する管理装置と、前記レシートの印刷内容を読み取り可能な読取部を有し、所定の画像データを印刷する画像形成装置とを備え、前記レシート発行端末は、前記管理装置から受け取った前記料理のレシピの管理情報を前記レシートに印刷し、前記画像形成装置は、前記レシートに印刷された前記料理のレシピの管理情報を前記読取部で読み取った際に、前記管理装置に問い合わせ、該管理装置から前記管理情報に対応した料理のレシピを受け取って印刷することを特徴とするレシピ提供システムである。
【０００７】
第２の技術手段は、第１の技術手段において、前記管理装置あるいは前記レシート発行端末は、特別に安い値段で売られる特売商品の情報を有し、前記管理装置は、該管理装置に有るあるいは前記レシート発行端末から受け取った前記特売商品の情報に基づいて、前記特売商品と前記購入商品とに含まれる食品材料に関連した料理のレシピを、前記購入商品に含まれる食品材料に関連した料理のレシピとして選択することを特徴とするものである。
【０００８】
第３の技術手段は、第２の技術手段において、前記管理装置あるいは前記レシート発行端末は、前記特売商品の割引情報を有し、前記画像形成装置は、前記特売商品と前記購入商品とに含まれる食品材料に関連した料理のレシピが存在する場合、前記管理装置から受け取ったあるいは前記レシート発行端末から前記管理装置を経て受け取った前記特売商品の割引情報を、前記特売商品と前記購入商品とに含まれる食品材料に関連した料理のレシピに印刷することを特徴とするものである。
【０００９】
第４の技術手段は、第１〜３のいずれか１の技術手段において、前記料理のレシピの管理情報は、バーコードによる読取コードとして前記レシートに印刷されることを特徴とするものである。
【００１０】
第５の技術手段は、第１〜３のいずれか１の技術手段において、前記料理のレシピの管理情報は、ＱＲコードによる読取コードとして前記レシートに印刷されることを特徴とするものである。
【００１１】
第６の技術手段は、第１〜５のいずれか１の技術手段において、前記画像形成装置は、食品材料を売却する店舗に設置されていることを特徴とするものである。
【発明の効果】
【００１２】
本発明によれば、商品購入者に提供されるレシートには、料理のレシピの管理情報が印刷されており、この管理情報を画像形成装置の読取部で読み取った際に、画像形成装置が管理情報に問い合わせることにより、購入商品に関連した料理のレシピが画像形成装置から印刷される。よって、商品購入者は、従来のようなユーザ端末を利用することなく、購入商品に関連した料理のレシピの印刷物を容易に取得でき、商品購入者へのサービス向上を図ることができる。また、商品購入者は、この印刷物を用いて速やかに料理に取り掛かることも可能になる。
【図面の簡単な説明】
【００１３】
【図１】本発明によるレシピ提供システムの構成図である。
【図２】本発明による画像形成装置の構成図である。
【図３】本発明によるレシート発行を説明するフローチャートである。
【図４】本発明のレシートを説明する図である。
【図５】本発明によるレシピ印刷を説明するフローチャートである。
【図６】本発明の料理レシピを説明する図である。
【図７】本発明の他の例によるレシート発行を説明するフローチャートである。
【図８】本発明の他の例の料理レシピを説明する図である。
【図９】本発明のさらに他の例の料理レシピを説明する図である。
【発明を実施するための形態】
【００１４】
以下、図面を参照しながら本発明のレシピ提供システムについて説明する。
図１は、本発明によるレシピ提供システムの構成図であり、レシピ提供システム１は、ネットワーク１０を介して接続されたレシート発行端末１１、センターサーバ１４、画像形成装置２０を備える。レシート発行端末１１及び画像形成装置２０は、例えば、食品材料を売却する店舗のうち商品購入者の行動範囲内に設置されている。
【００１５】
レシート発行端末１１は、店舗での購入商品に関するレシートを発行するＰＯＳ（Ｐｏｉｎｔ−Ｏｆ−Ｓａｌｅｓ）端末であり、商品購入者に購入される商品の入力や、購入金額の計算を行い、その計算結果等を所定の用紙に印刷できる。なお、レシート発行端末１１は、購入商品の情報をセンターサーバ１４に送信しているが、購入商品から食品材料を抜き出し、食品材料だけをセンターサーバ１４に送信することもできる。また、読取コード作成部１２は、後述する料理のレシピに設定された管理番号に、センターサーバ１４のアドレス等を付加して読取コードを作成し、この読取コードも上記計算結果等とともに印刷される。
【００１６】
センターサーバ１４は、ネットワークＩ／Ｆ１４ａ、制御部１５、レシピ検索部１６、レシピデータベース１７、検索結果記憶部１８、及びレシピ画像作成部１９から構成され、これらはバス１４ｂを介して接続される。なお、センターサーバ１４が本発明の管理装置に相当する。
センターサーバ１４は、ネットワークＩ／Ｆ１４ａを経由してレシート発行端末１１や画像形成装置２０に接続され、レシート発行端末１１からの購入商品の情報や画像形成装置２０からの指示を受信し、後述する料理のレシピに設定された管理番号をレシート発行端末１１に、候補のレシピを画像形成装置２０に送信する。
【００１７】
レシピデータベース１７には、料理のレシピが料理の名称や食品材料等に関連付けて記録されている。
レシピ検索部１６は、購入商品に含まれる食品材料に関連した料理のレシピをレシピデータベース１７から検索する。制御部１５は、検索されたレシピに管理情報、例えば、数桁の管理番号を設定する。検索結果記憶部１８は、この検索されたレシピ、及び対応の管理番号を記憶することができる。レシピ画像作成部１９は、画像形成装置２０からの呼び出しに応じて候補のレシピの画像を生成し、ネットワークＩ／Ｆ１４ａに出力する。
【００１８】
図２は、本発明による画像形成装置の構成図である。画像形成装置２０は、ＭＦＰ（Ｍｕｌｔｉ  Ｆｕｎｃｔｉｏｎ  Ｐｅｒｉｐｈｅｒａｌ）であり、制御部２２、ネットワークＩ／Ｆ２３、操作／表示パネル２４、スキャナ２５、印刷部２６、ＨＤＤ２７や、コード読取部２８を有し、これらはバス２１を介して接続される。制御部２２は、ネットワークＩ／Ｆ２３を介してセンターサーバ１４と通信可能に構成されている。
操作／表示パネル２４は、例えば、液晶のディスプレイ、透明抵抗膜方式のタッチパネルや、接触接点を用いたハードキーからなる操作キーで構成され、このタッチパネルは、画像形成装置２０を操作するためのＧＵＩ（グラフィカルユーザインタフェース）を上記ディスプレイに表示させる。また、この操作／表示パネル２４にて、商品購入者がレシートの読み取りを選択した場合、コード読取部２８が起動する。
【００１９】
コード読取部２８は、所定位置にセットされたレシートを光学的に読み取ることができ、読み取られた購入商品に関する読取コードのデータは、印刷部２６に出力される。なお、コード読取部２８が本発明の読取部に相当するが、操作／表示パネル２４に設置可能なリーダや、スキャナ２５がレシートを読み取ることも可能である。
印刷部２６は、給紙、画像形成、転写、定着、排紙等を行い、商品購入者が選択したレシピ等の画像データを所定の用紙に出力できる。なお、印刷部２６が両面印刷機能を備えている場合には、用紙の片面の他、もう一方の面にも画像データを出力できる。また、印刷部２６は、商品購入者がステープルやファイリング用の穴明け等の処理を希望した場合には、後処理装置（図示省略）と連携して動作する。
【００２０】
図３は、本発明によるレシート発行を説明するフローチャートである。
レシート発行端末１１が、商品購入者に購入される商品のコードを入力、例えば、読み取り（ステップＳ１０１）、この購入商品の情報をセンターサーバ１４に送信する（ステップＳ１０２）。
次に、センターサーバ１４は、ネットワークＩ／Ｆ１４ａを介してレシート発行端末１１からの購入商品の情報を受信し、レシピ検索部１６が、購入商品に含まれる食品材料に関連した料理（例えば、各食品材料を網羅する料理）のレシピをレシピデータベース１７のデータから検索する（ステップＳ１０３）。
【００２１】
ここで、レシピデータベース１７での検索の結果、対象となるレシピが存在しない場合（ステップＳ１０４のＮＯ）、制御部１５は、レシピが存在しない旨をネットワークＩ／Ｆ１４ａを介してレシート発行端末１１に送信し（ステップＳ１０９）、レシート発行端末１１は購入商品に関するレシートを発行する（ステップＳ１０８）。一方、対象となるレシピが存在する場合（ステップＳ１０４のＹＥＳ）、制御部１５は、レシピデータベース１７で検索されたレシピに管理番号を設定する（ステップＳ１０５）。
【００２２】
続いて、制御部１５は、この設定した管理番号をレシート発行端末１１に送信する（ステップＳ１０６）。検索結果記憶部１８は検索されたレシピ及び管理番号を記憶する。
レシート発行端末１１は、センターサーバ１４から受け取った管理番号から読取コードを生成し（ステップＳ１０７）、購入商品の名称や金額等のレシート発行情報に、この読取コードを追加した購入商品に関するレシートを発行して商品購入者に提供する（ステップＳ１０８）。
【００２３】
図４は、本発明のレシートを説明する図である。レシピデータベース１７に対象となるレシピが存在した場合、レシート発行端末１１で発行されたレシート４０には、購入商品の名称や金額等のレシート発行情報４１の他、例えば、バーコードあるいはＱＲコード（登録商標）による読取コード４２が印刷され、また「購入商品に関するレシピを提供できる」旨の記載も印刷されている。
【００２４】
図５は、本発明によるレシピ印刷を説明するフローチャートである。
図４のレシートを所持した商品購入者が画像形成装置２０の前に立ち、例えば、操作／表示パネル２４に触れると、例えば「レシートの読取コードをスキャナにかざす」旨を上記ディスプレイに表示し、コード読取部２８がレシート読取モードに入る（ステップＳ２０１）。
コード読取部２８がレシートの読取コードの読み取りを開始し（ステップＳ２０２）、読取コードを認識した場合（ステップＳ２０３のＹＥＳ）、画像形成装置２０では、制御部２２がネットワークＩ／Ｆ２３を介してセンターサーバ１４に読取コードを問い合わせる。
【００２５】
センターサーバ１４では、レシピ検索部１６が、検索結果記憶部１８に記憶した管理番号と画像形成装置２０からの読取コードに含まれた管理番号とを照合する。そして、制御部１５が、検索されたレシピを検索結果記憶部１８から呼び出し、ネットワークＩ／Ｆ１４ａを介して画像形成装置２０に出力する。
画像形成装置２０では、制御部２２がレシートの読取コードに対応した候補のレシピをダウンロードする（ステップＳ２０４）。
【００２６】
次いで、この候補のレシピが操作／表示パネル２４のディスプレイに表示される（ステップＳ２０５）。なお、候補のレシピが複数存在する場合には、総てのレシピが表示される。
商品購入者が、所望のレシピをディスプレイにて選択すると（ステップＳ２０６）、制御部２２が、選択されたレシピのレシピ画像を作成する旨をセンターサーバ１４に指示する。
続いて、センターサーバ１４では、レシピ画像作成部１９がこの選択されたレシピのレシピ画像を生成し、画像形成装置２０に出力する。これにより、印刷部２６は、商品購入者が選択したレシピを購入商品に関連した料理のレシピとして印刷して商品購入者に提供する。なお、コード読取部２８がレシートの読取コードを認識しない場合（ステップＳ２０３のＮＯ）、一連のルーチンを抜ける。
【００２７】
図６は、本発明の料理レシピを説明する図である。商品購入者に提供されたレシピ５０には、料理名５１、イメージ画像５２、購入商品を含む食品材料及び手順５３が印刷されている。このように、購入商品を含むレシピが画像形成装置２０から印刷されるため、商品購入者は、従来のようなユーザ端末を利用することなく、購入商品に関連した料理のレシピの印刷物を店舗で容易に取得でき、商品購入者へのサービス向上を図ることができる。また、商品購入者は、この印刷物を用いて速やかに料理に取り掛かることも可能になる。
【００２８】
図７は、本発明の他の例によるレシート発行を説明するフローチャートである。図３で説明した例と同様に、商品購入者が購入する商品をレシート発行端末１１で入力（ステップＳ３０１）、この購入商品の情報をセンターサーバ１４に送信するが（ステップＳ３０２）、センターサーバ１４にて、この購入商品の情報に特売商品を追加している（ステップＳ３０３）。特売商品は、店舗にて特別に安い値段で売られる商品であり、レシピ検索部１６は、購入商品に含まれる食品材料の他、特売商品も含めた場合の料理のレシピをレシピデータベース１７から検索する（ステップＳ３０４）。そして、ステップＳ３０５〜ステップＳ３１０は、対象となるレシピが特売商品も考慮している点を除き、上記図３のステップＳ１０４以降と同じである。
【００２９】
図８は、本発明の他の例の料理レシピを説明する図であり、商品購入者に提供されたレシピ５０には、特売商品の材料が付加情報５４として印刷され、この特売商品を加えた場合の料理名５１、イメージ画像５２、材料及び手順５３が画像形成装置２０で印刷されている。これにより、商品購入者にとっては特売商品を加えた新たな料理のレシピを取得できる。また、商品売却者は特売商品を商品購入者に宣伝でき、商品購入者が特売商品を未だ購入していなかった場合には、追加で購入される可能性が生ずるので、店舗の売上向上に寄与する。
【００３０】
図９は、本発明のさらに他の例の料理レシピを説明する図であり、センターサーバ１４は、特売商品の割引情報を有することもできる。この場合のレシピ５０には、図８の例に加えて、例えば、特売商品の割引券が付加情報５４ａとして画像形成装置２０にて印刷されており、商品購入者は特売商品を購入しやすくなる。この結果、店舗の集客力をより一層高めることができる。
なお、図７〜図９では、センターサーバ１４が特売商品の情報や割引情報を有する例を説明したが、レシート発行端末１１が特売商品の情報や割引情報を有し、センターサーバ１４は、特売商品の情報や割引情報を購入商品と併せて受信することも可能である。
【００３１】
なお、上記各実施例では、画像形成装置とセンターサーバとは別個に構成されている。しかし、例えば、レシピデータベースを図２のＨＤＤ２７に格納させることにより、画像形成装置が管理装置としての機能を兼ねてもよい。
【符号の説明】
【００３２】
１…レシピ提供システム、１０…ネットワーク、１１…レシート発行端末、１２…読取コード作成部、１４…センターサーバ、１４ａ…ネットワークＩ／Ｆ、１５…制御部、１６…レシピ検索部、１７…レシピデータベース、１８…検索結果記憶部、１９…レシピ画像作成部、２０…画像形成装置、２１…バス、２２…制御部、２３…ネットワークＩ／Ｆ、２４…操作／表示パネル、２５…スキャナ、２６…印刷部、２７…ＨＤＤ、２８…コード読取部、４０…レシート、４１…レシート発行情報、４２…読取コード、５０…レシピ、５１…料理名、５２…イメージ画像、５３…材料及び手順、５４，５４ａ…付加情報。
【図１】
2013214194.tif 000003
【図２】
2013214194.tif 000004
【図３】
2013214194.tif 000005
【図４】
2013214194.tif 000006
【図５】
2013214194.tif 000007
【図６】
2013214194.tif 000008
【図７】
2013214194.tif 000009
【図８】
2013214194.tif 000010
【図９】
2013214194.tif 000011